(57)【要約】【課題】櫛歯を形成する部材を射出成形により製造しても、金型や櫛歯に損傷や成形不良が生じにくく、櫛歯の間隔を設計通りの間隔とすることができ、また、頭髪処理剤の塗布作業中に、その間隔が維持されやすい頭髪処理剤塗布具を提供すること。【解決手段】環状に配置された複数の櫛歯２２からなる筒状の櫛部を有する頭髪処理剤塗布具１であり、櫛部２１は、櫛歯２２ａを備えた第１部材２３と、第１部材２３の周方向において隣り合う櫛歯２２ａと櫛歯２２ａとの間に配される櫛歯２２ｂを備えた第２部材３３とが一体化されて形成されている。第１部材２３は、個々の櫛歯２２ａに対応する複数の外側嵌合部２６を有し、第２部材３３は、隣り合う櫛歯２２ｂ，２２ｂ間に、第１部材の外側嵌合部２６が嵌合する外側嵌合凹部３６を有している。【選択図】図２
2014124369.tif 000002
【特許請求の範囲】
【請求項１】
環状に配置された複数の櫛歯からなる筒状の櫛部を有する頭髪処理剤塗布具であって、
前記櫛部は、櫛歯を備えた第１部材と、第１部材の周方向において隣り合う櫛歯と櫛歯との間に配される櫛歯を備えた第２部材とが一体化されて形成されており、
第１部材は、第１部材の個々の櫛歯に対応する複数の外側嵌合部を有し、第２部材は、第２部材の隣り合う櫛歯間に、第１部材の前記外側嵌合部が嵌合する外側嵌合凹部を有している、頭髪処理剤塗布具。
【請求項２】
第１部材及び第２部材に、中央嵌合部及び該中央嵌合部が嵌合する中央嵌合凹部が形成されている、請求項１記載の頭髪処理剤塗布具。
【請求項３】
第１部材及び第２部材は、筒状の櫛部の直径方向における櫛歯の中心位置より外方に、第１部材及び第２部材からなる櫛歯形成部材を保持する櫛歯形成部材の保持体に結合された接続部を備えている、請求項１又は２に記載の頭髪処理剤塗布具。
【請求項４】
請求項１〜３の何れか１項に記載の頭髪処理剤塗布具の製造方法であって、
第１部材及び第２部材のそれぞれを、合成樹脂を用いて射出成形により製造する工程と、得られた第１部材及び第２部材を、前記外側嵌合部が前記外側嵌合凹部に嵌合するように一体化させる工程を具備する頭髪処理剤塗布具の製造方法。
【発明の詳細な説明】
【技術分野】
【０００１】
本発明は、頭髪処理剤塗布具に関する。
【背景技術】
【０００２】
多数の櫛歯からなる櫛部を有する塗布具を用いて頭髪に染毛剤等の頭髪処理剤を塗布する技術が知られている。
例えば、本出願人は、櫛歯が直列した複数の櫛歯列によって両側を挟まれた中央部分から塗布液を吐出させ、該塗布液を、櫛歯列で頭髪を梳きながら頭髪に塗布できるようにした櫛歯付き塗布用具を提案している（特許文献１参照）。この櫛歯付き塗布用具によれば、櫛歯列間に塗布液を吐出させた後、櫛歯列間に塗布液を一旦保持した状態で、塗布用具を頭髪に当てることができる。
【０００３】
また、本出願人は、環状に配置された複数の櫛歯からなる櫛部を有する剤塗布部を備えた頭髪処理剤塗布具であって、前記櫛歯は、先端近傍部から基端側に向かって櫛歯幅が減少する逆テーパー部を有している頭髪処理剤塗布具を提案している（特許文献２参照）。この頭髪処理剤塗布具によれば、櫛歯間に挿入された頭髪が、櫛歯間から抜け落ちないように保持しつつ塗布できるので、例えば、頭髪処理剤を、頭頂部付近から首や肩上に亘る長い範囲の髪に連続して塗布することができる。
【０００４】
特許文献３には、コーム基台を肉厚方向に二つ割して一対のコーム半基台を形成する工程と、この一対のコーム半基台を展開するとともに、このコーム半基台それぞれの一側縁に櫛歯を形成する工程と、この櫛歯形成位置が、各コーム半基台において互いの対面側の櫛歯間に位置するようにコーム半基台を組み合わせ結合する工程を具備するコーム（櫛）の製造方法が記載されている。
【先行技術文献】
【特許文献】
【０００５】
【特許文献１】特開２００９−１６０２４０号公報
【特許文献２】特開２０１２−１６５８８号公報
【特許文献３】特開平９−１０８０３３号公報
【発明の概要】
【発明が解決しようとする課題】
【０００６】
環状に配置された複数の櫛歯からなる筒状の櫛部として、櫛歯にテーパー部を設けたり、櫛歯間の間隔を狭いものを射出成形により製造しようとした場合、射出成形用の金型から取り出す際に櫛歯や櫛歯間に介在する金型の薄肉部分が損傷したり、櫛歯間の間隔にムラが生じる等の不都合があった。
また、特許文献３の技術は、環状に配置された複数の櫛歯からなる筒状の櫛部の製造に適用又は応用することは簡単ではない。また、本発明者らが、環状に配置された櫛歯からなる筒状の櫛部を、櫛歯1本1本を穴に挿入し固定する台座と、櫛歯1本1本を成形し、櫛歯を台座に挿入し組み立てて形成しようとしたところ、櫛歯が不安定になり易く、櫛歯間の間隔が設計通りの寸法にならない場合や、頭髪処理剤の塗布作業中に、櫛歯が根元から傾く場合があった。
【０００７】
本発明は、前述した従来技術が有する欠点を解消し得る頭髪処理剤塗布具及びその製造方法に関する
【課題を解決するための手段】
【０００８】
本発明は、環状に配置された複数の櫛歯からなる筒状の櫛部を有する頭髪処理剤塗布具であって、前記櫛部は、櫛歯を備えた第１部材と、第１部の周方向において隣り合う櫛歯と櫛歯との間に配される櫛歯を備えた第２部材とが一体化されて形成されており、第１部材は、第１部材の個々の櫛歯に対応する複数の外側嵌合部を有し、第２部材は、第２部材の隣り合う櫛歯間に、第１部材の前記外側嵌合部が嵌合する外側嵌合凹部を有している、頭髪処理剤塗布具を提供するものである。
【０００９】
また、本発明は、前記の頭髪処理剤塗布具の製造方法であって、第１部材及び第２部材のそれぞれを、合成樹脂を用いて射出成形により製造する工程と、得られた第１部材及び第２部材を、前記外側嵌合部が前記外側嵌合凹部に嵌合するように一体化させる工程を具備する頭髪処理剤塗布具の製造方法を提供するものである。
【発明の効果】
【００１０】
本発明の頭髪処理剤塗布具及びその製造方法によれば、櫛歯を形成する部材を射出成形により製造しても、金型や櫛歯に損傷や成形不良が生じにくく、櫛歯の間隔を設計通りの間隔とすることができ、また、頭髪処理剤の塗布作業中に、その間隔が維持されやすい。
【図面の簡単な説明】
【００１１】
【図１】図１は、本発明の頭髪処理剤塗布具の第１実施形態を示す一部破断側面図である。
【図２】図２は、第１実施形態における櫛部形成部材の（ａ）斜視図、（ｂ）平面図、及び（ｃ）分解斜視図である。
【図３】図３は、第１実施形態における第１部材の（ａ）平面図、（ｂ）側面図、及び（ｃ）斜視図である。
【図４】図４は、第１実施形態における第２部材の（ａ）平面図、（ｂ）側面図、及び（ｃ）斜視図である。
【図５】図５は、第１実施形態における液塗布部及びその近傍の断面図である。
【図６】図６は、本発明の第２実施形態における櫛部形成部材の（ａ）斜視図、（ｂ）平面図、及び（ｃ）分解斜視図である。
【図７】図７は、第２実施形態における第１部材の斜視図である。
【図８】図８は、第２実施形態における第２部材の斜視図である。
【図９】本発明の更に他の実施形態における液塗布部及びその近傍を示す（ａ）平面図、及び断面図である。
【図１０】本発明の更に他の実施形態における液塗布部を示す斜視図である。
【発明を実施するための形態】
【００１２】
以下に、本発明をその好ましい実施形態に基づき図面を参照しながら説明する。
本発明の第１実施形態である頭髪処理剤塗布具１は、図２に示すように、環状に配置された複数の櫛歯２２からなる筒状の櫛部２１を有する。そして、その筒状の櫛部２１は、図２に示すように、櫛歯２２ａを備えた第１部材２３と、第１部材２３の周方向において隣り合う櫛歯２２ａ、２２ａの間に配される櫛歯２２ｂを備えた第２部材３３とが一体化されて形成されている。また、第１部材２３は、図３（ａ）に示すように、第１部材２３の個々の櫛歯２２ａに対応する複数の外側嵌合部２６を有し、第２部材３３は、第２部材３３の隣り合う櫛歯２２ｂ，２２ｂ間に、第１部材２３の前記外側嵌合部２６が嵌合する複数の外側嵌合凹部３６，３６を有している。
ここで、第２部材３３の隣り合う櫛歯２２ｂ，２２ｂ間とは、筒状の櫛部２１の周方向Ｒにおいて隣り合う櫛歯２２ｂ，２２ｂ間という意味である。
【００１３】
第１実施形態の頭髪処理剤塗布具１について、より詳細に説明する。
頭髪処理剤塗布具１は、図１に示すように、複数の櫛歯２２からなる櫛部２１を有する剤塗布部２と、頭髪処理剤の塗布作業を行う際に手に持つ部分である把持部４とを有している。また、頭髪処理剤塗布具１は、把持部４と剤塗布部２との間に延長部５を有している。延長部５は、把持部４と剤塗布部２との間に間隔を設けて、後頭部等への頭髪処理剤６の塗布作業を容易とするものである。
【００１４】
剤塗布部２は、頭髪に接触させる部分であり、頭髪を櫛部２１で梳きながら該頭髪に頭髪処理剤６を塗布可能である。櫛部２１を構成する櫛歯２２は、図２（ｂ）に示すように、相隣接する櫛歯どうしの間に一定の間隔Ｐを設けて、平面視略円形の環状に配置されている。
本実施形態における剤塗布部２は、図２（ａ）〜図２（ｃ）に示すように、櫛歯２２ａを備えた第１部材２３と、櫛歯２２ｂを備えた第２部材３３とを一体化させてなる櫛歯形成部材２０を主体として構成されている。櫛歯形成部材２０は、図１に示すように、櫛歯形成部材２０の保持体である延長部材５０の一端に固定されている。
【００１５】
第１部材２３は、合成樹脂の射出成型品である。図２（ｃ）及び図３に示すように、第１部材２３は、環状に配置された複数本の櫛歯２２ａと、複数本の櫛歯２２ａのそれぞれを直立状態に支持する支持部２４とを有する。支持部２４は、中央に貫通孔２３ａを有する平面視略円形で平板状の中央嵌合部２５と、中央嵌合部２５の周縁部から外方に突出するように連設された複数の外側嵌合部２６と、該外側嵌合部２６それぞれの先端に垂下するように連設された外嵌部２８とを有している。中央嵌合部２５及び複数の外側嵌合部２６は、それぞれ偏平な形状を有している。外側嵌合部２６は中央嵌合部２５の周囲に一定間隔で形成され、該外側嵌合部２６のそれぞれから各１本の櫛歯２２ａが直立している。
【００１６】
第２部材３３も、合成樹脂の射出成型品である。図２（ｃ）及び図４に示すように、第２部材３３は、環状に配置された複数本の櫛歯２２ｂと、複数本の櫛歯２２ｂのそれぞれを直立状態に支持する支持部３４とを有する。支持部３４は、中央に貫通孔３３ａを有する中央嵌合凹部３５と、中央嵌合凹部３５から支持部３４の直径方向の外方に向かって延在する外側嵌合凹部３６と、隣り合う外側嵌合凹部３６間に位置し、中央嵌合凹部３５側から支持部３４の直径方向の外方に向かって延在する櫛歯支持台部３７と、櫛歯支持台部３７の先端に垂下するように連設された外嵌部３８とを有している。櫛歯支持台部３７は、外側嵌合凹部３６を有する部分より肉厚に形成されている。また、櫛歯支持台部３７は、中央嵌合凹部３５の周囲に一定間隔で形成され、該櫛歯支持台部３７のそれぞれから各１本の櫛歯２２ｂが直立している。
【００１７】
第２部材３３の中央嵌合凹部３５は、櫛歯形成部材２０の平面視〔図２（ｂ）参照〕において、第１部材２３の中央嵌合部２５が内部に丁度収まる形状及び寸法を有している。
第２部材３３の外側嵌合凹部３６は、第１部材２３の個々の外側嵌合部２６に対応させて、外側嵌合部２６の個数と同数形成されており、第２部材３３の個々の外側嵌合凹部３６は、櫛歯形成部材２０の周方向において、第１部材２３の外側嵌合部２６が内部に丁度収まる幅を有している。
なお、第１部材２３の、外側嵌合部２６、櫛歯２２ａ及び外嵌部２８は、それぞれ、櫛歯形成部材２０の周方向Ｒに等間隔に形成されており、第２部材３３の、外側嵌合凹部３６、櫛歯支持台部３７、櫛歯２２ｂ及び外嵌部３８も、それぞれ、櫛歯形成部材２０の周方向Ｒに等間隔に形成されている。
【００１８】
また、第２部材３３は、中央嵌合凹部３５の深さ、換言すれば、櫛歯支持台部３７の上面と中央嵌合凹部３５の底部との間の段差が、第１部材２３の中央嵌合部２５の厚みと等しく、外側嵌合凹部３６の深さ、換言すれば、櫛歯支持台部３７の上面と外側嵌合凹部の底部との間の段差が、第１部材２３の外側嵌合部２６の厚みと等しい。
また、第２部材３３は、櫛歯２２ｂが突出する上面側とは反対側の面における、外嵌部３８から第２部材３３の中央部方向に離間した位置に、内筒３９を有している。内筒３９は、高さが低く、その下端が外嵌部３８の下端に達していない。
【００１９】
櫛歯形成部材２０は、図２に示すように、第１部材２３と第２部材３３とを嵌合させて一体化させてなる。一体化させた櫛歯形成部材２０においては、第１部材２３の櫛歯２２ａと第２部材３３の櫛歯２２ｂとが、櫛歯形成部材２０の周方向Ｒに交互に並んでおり、それらによって筒状の櫛部２１が形成されている。
第１部材２３と第２部材３３とを一体化させる際には、第１部材２３の櫛歯２２ａ間に第２部材の櫛歯２２ｂを挿入すると共に、第１部材２３の中央嵌合部２５を、第２部材３３の中央嵌合凹部３５に嵌合させると共に、第１部材２３の外側嵌合部２６を第２部材３３の外側嵌合凹部３６に嵌合させる。
【００２０】
一体化させた櫛歯形成部材２０においては、櫛部２２が突出する上面側とは反対側の面に、第１部材の外嵌部２８と第２部材の外嵌部３８とが突出している。本実施形態の櫛歯形成部材２０においては、第１部材の外嵌部２８と第２部材の外嵌部３８は、櫛歯形成部材２０の周方向Ｒに交互に並んで全体として周方向に連続する筒状をなしている。第１部材の外嵌部２８と第２部材の外嵌部３８は、本実施形態における、櫛歯形成部材の保持体である延長部材５０に結合された接続部を構成している。
【００２１】
そして、第１部材２３の外嵌部２８及び第２部材の外嵌部３８は、それぞれ、図５に示すように、筒状の櫛部２１の直径方向における、櫛歯２２（櫛歯２２ａ，２２ｂ）の中心位置より外方に設けられており、第１部材の外嵌部２８及び第２部材の外嵌部３８は、櫛歯形成部材２０の保持体である延長部材５０に、筒状接続部５２に外嵌合することによって結合している。筒状接続部５２は、延長部材５０の端部近傍に設けられたフランジ部５３から円筒状に延出している。第１部材２３の外嵌部２８及び第２部材の外嵌部３８は、それぞれ、筒状の櫛部２１の直径方向において、櫛歯２２の外側の端部より外方に形成されていることが一層好ましい。
【００２２】
本実施形態の頭髪処理剤塗布具１における剤塗布部２の好ましい製造方法について説明する。
先ず、合成樹脂の射出成形により、第１部材２３を製造する。即ち、合成樹脂を、射出成形用の金型内で、図２（ｃ）及び図３に示す形状に成形し、当該形状の第１部材２３を該金型から取り出す。また、第１部材２３とは別に、第２部材３３も射出成形により製造する。即ち、合成樹脂を、射出成形用の金型内で、図２（ｃ）及び図４に示す形状に成形し、当該形状の第２部材３３を該金型から取り出す。
第１部材２３及び第２部材３３の射出成形は、それぞれ、金型の開閉方向と、櫛歯で囲まれた中央軸線の向きを一致させて行うことが好ましい。
【００２３】
第１部材２３及び第２部材３３の射出成形に用いる合成樹脂としては、射出成形可能なものを特に制限なく用いることができるが、熱可塑性汎用樹脂であるポリエチレン、ポリプロピレン等のポリオレフィン樹脂、ポリスチレン、アクリルニトリル／スチレン樹脂、アクリルニトリル/ブタジエン／スチレン樹脂、ポリエチレンテレフタレート樹脂、メタクリル樹脂、塩化ビニル等、および熱可塑性エンジニアリングプラスチックであるポリカーボネイト、ポリアミド、ポリアセタール、ポリブチレンテレフタレート、フッ素樹脂等、又は熱硬化性樹脂のエポキシ樹脂、ポリウレタン、不飽和ポリエステル樹脂等から形成されていることが望ましく、特に機械的強度、耐薬品性、価格の面を考慮してポリエチレン、ポリプロピレン等のポリオレフィン樹脂から形成されていることが好ましい。第１部材２３と第２部材３３とは、同一種類の合成樹脂から形成してもよいし、異なる種類の樹脂から形成してもよい。
第１部材２３及び第２部材３３を射出成形により製造するメリットとしては、一般的にブロー成形、真空／圧空成形に比較して高い製品寸法精度を得られる他、部品の着脱、組み換えによって櫛歯間隔を変更できたり、異なる材質の櫛歯を２色成形などの特殊な成形方法を用いずとも実現できる、等が挙げられる。
【００２４】
次いで、第１部材２３と第２部材３３とを嵌合させて一体化させて櫛歯形成部材２０を得る。第１部材２３と第２部材３３とを一体化させる際には、第１部材２３の櫛歯２２ａ間に第２部材の櫛歯２２ｂを挿入すると共に、第１部材２３の中央嵌合部２５及び外側嵌合部２６を、第２部材３３の中央嵌合凹部３５及び外側嵌合凹部３６に嵌合させる。
第１部材２３の中央嵌合部２５を、第２部材３３の中央嵌合凹部３５と嵌合させることで、第１部材２３の中心位置と第２部材３３の中心位置とを容易に一致させることができ、また、第１部材２３と第２部材３３の中心位置どうし間にズレが生じることも防止することができる。
【００２５】
第１部材２３を第２部材に嵌合させる際には、何れか一方又は双方に接着剤等を塗布しておき、該接着剤を介して、両部材の結合状態を一層強固としても良い。例えば、中央嵌合部２５と中央嵌合凹部３５を接着剤で強固に固定してもよいし、外側嵌合部２６と外側嵌合凹部３６とを接着剤で強固に固定してもよい。
また、中央嵌合部２５を中央嵌合凹部３５に押し込むと共に外側嵌合部２６を外側嵌合凹部３６に押し込むのみで、第１部材２３と第２部材３３とが強固に固定されるようにしてもよいし、中央嵌合部２５を中央嵌合凹部３５に押し込むこと、又は外側嵌合部２６を外側嵌合凹部３６に押し込むことにより、第１部材２３と第２部材３３とが強固に固定されるようにしてもよい。
【００２６】
そして、得られた櫛歯形成部材２０の外嵌部２８，３８を、図５に示すように、櫛歯形成部材２０の保持体である延長部材５０の筒状接続部５２に外嵌合させて固定する。
櫛歯形成部材２０の筒状接続部５２に対する固定は、接着剤を用いて行っても良いし、接着剤を用いずに行っても良い。例えば、外嵌部２８，３８の内面と筒状接続部５２との間に接着剤を介在させて、外嵌部２８，３８を筒状接続部５２に対して強固に結合させても良いし、全体として筒状をなす外嵌部２８，３８の内側に筒状接続部５２を押し込むことのみで、外嵌部２８，３８が、筒状接続部５２に固定されるようにしてもよい。
【００２７】
このようにして、櫛歯形成部材２０を、延長部材５０の筒状接続部５２に固定することによって、図１に示す頭髪処理剤塗布具１における、筒状の櫛部２１を備えた剤塗布部２が完成する。
本実施形態の頭髪処理剤塗布具１における剤塗布部２以外の部分は、各種公知の任意の方法により製造することができる。
【００２８】
本実施形態の頭髪処理剤塗布具１によれば、第１部材２３及び第２部材３３それぞれの櫛歯２２ａ，２２ｂの間隔が、それらが組み合わされて構成される櫛部２１の櫛歯間の間隔Ｐに比して大幅に大きく、金型に該間隔Ｐに対応する薄肉部分を形成する必要がないため、櫛歯間の間隔Ｐが狭い櫛部２１を形成する場合や逆テーパー部を有する櫛歯を有する櫛部２１を形成する場合においても、第１部材２３及び第２部材３３を金型から取り出す際に金型に損傷を生じることが防止されると共に、櫛歯２２が損傷することも防止され、櫛歯間の間隔Ｐが狭い櫛部２１を形成する場合や逆テーパー部を有する櫛歯を有する櫛部２１を形成する場合においても、櫛歯２２の成形不良や寸法不良、櫛歯２２間の間隔が設計通りの間隔Ｐとならないといったことが起こりにくい。
櫛歯間の間隔Ｐが狭い場合としては、例えば、櫛歯２２の上半部（高さ方向の上半分）における最接近部の間隔Ｐが２ｍｍ以下の場合、特に１ｍｍ以下の場合が挙げられる。逆テーパー部とは、櫛歯２２の幅Ｗ〔図２（ｂ）参照〕が、櫛歯２２の基端側から先端側に向かって漸増する部分である。櫛歯２２が逆テーパー部を有する場合の例としては、櫛歯２２の高さ方向の全体が逆テーパー部となっている場合や、櫛歯２２の高さ方向の中央部より先端側が逆テーパー部となっている場合等が挙げられる。
【００２９】
しかも、本実施形態の頭髪処理剤塗布具１においては、第１部材２３と第２部材３３とを一体化させる際に、複数の外側嵌合部２６を、それぞれに対応させて形成された外側嵌合凹部３６に嵌合させて一体化させることで、第１部材２３の櫛歯２２ａと第２部材３３の櫛歯２２ｂとが、櫛歯形成部材２０の周方向Ｒにおいて、設計通りの位置に高精度に位置決めされ、筒状の櫛部２１における櫛歯２２間の間隔Ｐも設計通りの間隔と高精度に一致することになる。
【００３０】
また、本実施形態の櫛歯形成部材２０においては、第１部材２３の中央嵌合部２５が第２部材３３の中央嵌合凹部３５に丁度収まる形状及び寸法を有しているため、第１部材２３と第２部材３３とを一体化させる際に、中央嵌合部２５を第２部材３３の中央嵌合凹部３５に嵌合させることができ、それにより、第１部材２３の櫛歯２２ａと第２部材３３の櫛歯２２ｂとが、櫛歯形成部材２０の周方向Ｒ及び直径方向において一層高精度に位置決めされる。
【００３１】
更に、本実施形態の頭髪処理剤塗布具１においては、第１部材２３における、櫛歯２２ａを支持する支持部２４の一部である外嵌部２８、及び第２部材３３における、櫛歯２２ｂを支持する支持部３４の一部である外嵌部３８が、図５に示すように、それぞれ、筒状の櫛部２１の直径方向における、櫛歯２２（櫛歯２２ａ，２２ｂ）の中心位置２２ｃより外方Ｇに設けられており、それらが、櫛歯形成部材２０の保持体である延長部材５０に固定されている（図５参照）。
そのため、頭髪処理剤の塗布作業中に、第１部材２３と第２部材３３との間に浮きや分離が生じて、第１部材の櫛歯２２ｂが傾いたり、櫛歯間の間隔が設計通りの寸法に維持されないといった不都合が生じることを防止することができる。櫛歯２２（櫛歯２２ａ，２２ｂ）の中心位置２２ｃは、筒状の櫛部２１の直径方向に延びる直線に沿って測定した櫛部２２の厚みを２等分する位置である。
【００３２】
また、本実施形態の頭髪処理剤塗布具１においては、第１部材の外嵌部２８及び第２部材の外嵌部３８は、図３及び図４に示すように、それぞれの内面に、筒状接続部５２の外面に形成した溝又は凸条と係合する凸条又は溝を有している。そのため、外嵌部２８，３８の筒状接続部５２に対する結合状態が一層安定に維持される。また、第２部材３３が内筒３９を有することによって、外嵌部２８，３８の筒状接続部５２に対する結合状態がより一層安定に維持される。
【００３３】
本実施形態の頭髪処理剤塗布具１は、図１に示すように、頭髪処理剤６を収容する容器部４０を備えており、前記把持部４は該容器部４０の一部からなる。容器部４０は、内部に収容した頭髪処理剤６を剤塗布部２に供給可能であり、延長部５を形成する延長部材５０には、頭髪処理剤６を容器部４０内から剤塗布部２に供給するための剤導出路５１が形成されている。筒状の櫛部２１を形成する櫛歯２２は、剤吐出口２３ａの周囲を囲むように環状に配置されている。
【００３４】
本実施形態の頭髪処理剤塗布具１における容器部４０は、図１に示すように、スクイズ可能な有底筒状の外容器４２と、外容器４２内に配置され、口部が外容器４２の円筒状の口部内面に気密に接合された内袋４３とを有する容器本体４１と、容器本体４１の口部に取り付けられる逆止弁４４付きの接続キャップ４５とからなる２重構造の容器からなり、外容器４２を片手で把持してその片手でスクイズすることにより、外容器４２自体又は外容器４２と内袋４３との間の空気が、内部の内袋４３を押圧し、それにより内袋４３内の頭髪処理剤６が押し出されて液導出路５１を介して剤塗布部２に供給される。剤塗布部２に供給された頭髪処理剤６は、剤塗布部２内の流路を通って剤吐出口２３ａから吐出される。
【００３５】
図１に示す頭髪処理剤塗布具１においては、外容器４２の円筒状の口部に、外容器４２と内袋４３との間の空間と、外容器４２の外部とを連通する吸入孔４２ａが形成されている。そして、押圧されて変形した外容器４２が、弾性復元力により元の状態に戻るときに、容器部４０の外部の空気が、接続キャップ４５の下端と外容器４２との間に設けた隙間４２ｂ及び前記の吸入孔４２ａを通って、外容器４２と内袋４３との間に流入する。容器部４０は、このような構成を有することで、外周面を押圧して変形させる操作を繰り返すことにより、内容物である頭髪処理剤を徐徐に剤吐出口から吐出させることができる。
【００３６】
容器部４０に、このような２重構造の容器を用いることにより、内部の頭髪処理剤６の残量が減っても、容器部４０がしぼんで把持しにくくなることを防止できる。また、接続キャップ４５や、容器部４０内の空間と剤吐出口２３ａとを連通する液導出路５１等に逆止弁４４を設けて、剤の吐出後に空気が液導出路５１や容器部４０に逆流することを防止することにより、次回の吐出の際に、剤が出にくくなったり剤が飛び散ったりすることを防止することができる。
【００３７】
第１実施形態の頭髪処理剤塗布具１を用いた頭髪処理剤の塗布方法の好ましい一例について説明する。
先ず、容器部４０の容器本体４１から接続キャップ４５を取り外して、容器部４０内に頭髪処理剤６を充填した後、再び接続キャップ４５を取り付ける。頭髪処理剤６は、外部で配合したものを充填しても良いし、容器部４０内で攪拌混合して作成しても良い。
そして、把持部４を片手で把持して繰り返しスクイズすることにより、容器部４０内の頭髪処理剤６を剤塗布部２に送り、剤吐出口２３ａから頭髪処理剤６を吐出させる。そして、筒状の櫛部２１の内側に所望の量の頭髪処理剤６を溜め、その状態を維持したまま、剤塗布部２を頭部に移動させる。そして、剤塗布部２における、櫛部２１の先端側を、頭髪上から頭皮に軽く押し当てる。この押し当てにより、櫛歯２２，２２間の隙間に頭髪が入り込む。そして、その状態で、剤塗布部２を、櫛部２１で頭髪を梳くようにして、頭髪の毛先方向に向けて移動させれば、櫛歯２２間に保持された頭髪に対して頭髪処理剤６を安定して塗布することができる。
【００３８】
櫛部２１及び頭髪処理剤６は、図２（ａ）に示すように、櫛部２１を上方に向けて、頭髪処理剤６を吐出させたとき、あるいは櫛部２１を上方に向けて、櫛部２１の内側の空間内に頭髪処理剤６を注入したときに、筒状の櫛部２１の内側の空間内に、頭髪処理剤６を所定量貯留可能であることが好ましい。
頭髪処理剤６としては、ヘアカラー等の染毛剤、ブリーチ剤、整髪剤、育毛剤、ヘアケア剤等の各種公知の頭髪処理剤を用いることができ、そのそれぞれの組成も特に制限されない。しかし、頭部から離れた位置において、筒状の櫛部２１内に、頭髪処理剤６を吐出させたり、頭髪処理剤６を別の容器等から注入したりした後に、その剤を筒状の櫛部２１内からこぼれないようにしながら頭部まで運べるようにする観点からは、頭髪処理剤６は、ある程度の粘度を有する液状（クリーム状のものや固形分や気体分を含む液状のものを含む）のもの又は泡状のものであることが好ましい。剤吐出口２３ａから泡状に吐出する頭髪処理剤は、容器部４０に充填する時点で泡状のもの、容器部４０内で泡状に変化したもの、容器部４０と剤吐出口２３ａとの間等で泡状に変化したもの等の何れであってもよい。
【００３９】
次に、本発明の第２実施形態について説明する。第２実施形態においては、主として、上述した第１実施形態の頭髪処理剤塗布具１との相違点について説明し、同様の点については説明を省略する。特に説明しない点については、第１実施形態と同様とすることができる。図６には、第１実施形態の頭髪処理剤塗布具におけるのと同様の部材には同一の符号を付してある。
【００４０】
第２実施形態における櫛歯形成部材２０’は、図６に示すように、図６（ｃ）及び図７に示す形態の第１部材２３’及び図６（ｃ）及び図８に示す形態の第２部材３３’を一体化させてなる。
第１部材２３’は、第１実施形態における第１部材２３の外嵌部２８を有しない代わりに、図７に示すように、中央嵌合部２５の下面に、一対の係合突起２８’を有している。第２部材３３’は、櫛歯２２ｂの突出方向とは反対側の周縁部に下方に垂下する円筒状の外嵌部３９’を有している。
第１部材２３’及び第２部材３３’は、何れも、合成樹脂の射出成形品であり、第１部材２３’と第２部材３３’とを一体化させる際には、第１部材２３’の櫛歯２２ａ間に第２部材３３’の櫛歯２２ｂを挿入すると共に、一対の係合突起２８’を、第２部材３３’の貫通孔３３ａ内に押し込む。一対の係合突起２８’は、互いに近づくように変形して貫通孔３３ａに挿通された後、互いに離反する方向に弾性復帰して、貫通孔３３ａの周縁部に係合する。また、この係合状態においては、第１部材２３’に形成された中央嵌合部２５が、第２部材３３’の中央嵌合凹部３５に嵌合し、第１部材２３’に形成された外側嵌合部２６が、それぞれに対応して設けられた第２部材３３’の外側嵌合凹部３６に嵌合している。
【００４１】
第２実施形態の頭髪処理剤塗布具における第１部材２３’及び第２部材３３’も、それぞれの櫛歯２２ａ，２２ｂの間隔が、それらが組み合わされて構成される櫛部２１の櫛歯間の間隔に比して大幅に大きいため、第１部材２３’及び第２部材３３’を金型から取り出す際に、金型や櫛歯２２が損傷することが防止される。また、複数の外側嵌合部２６が外側嵌合凹部３６に嵌合して、第１部材２３の櫛歯２２ａと第２部材３３の櫛歯２２ｂとが、櫛歯形成部材２０の周方向Ｒにおいて、設計通りの位置に高精度に位置決めされるため、筒状の櫛部２１における櫛歯２２間の間隔も設計通りの間隔と高精度に一致することになる。
【００４２】
また、第１部材２３’における、櫛歯２２ａを支持する支持部２４に設けられた一対の係合突起２８’が、櫛歯２２ｂを支持する支持部３４に形成された貫通孔３３ａに係合することにより、第１部材２３’と第２部材３３’とが一体化した状態が安定的に維持される。
そのため、頭髪処理剤の塗布作業中に、第１部材２３’と第２部材３３’との間に浮きや分離が生じて、第１部材の櫛歯２２ｂが傾いたり、櫛歯間の間隔が設計通りの寸法に維持されないといった不都合が生じることを防止することができる。
また、第２実施形態における第２部材３３’は、外嵌部３９’の内面に、筒状接続部５２の外面に形成した溝又は凸条と係合する凸条又は溝を有している。そのため、外嵌部３９’の筒状接続部５２に対する結合状態が一層安定に維持される。また、第２部材３３’が内筒３３ｂを有することによって、外嵌部３９’の筒状接続部５２に対する結合状態がより一層安定に維持される。
【００４３】
図９及び図１０は、本発明の更に他の実施形態を示す図である。図９及び図１０に示す実施形態においては、第１実施形態と同様に、櫛歯形成部材の保持体である延長部材５０の一端部に、第１実施形態における櫛歯形成部材２０を保持させてある。そして、図９に示す実施形態においては、延長部材５０の櫛歯形成部材側の一端部付近に、第１部材の外嵌部２８及び／又は第２部材の外嵌部３８が、櫛歯形成部材２０の直径方向の外方に拡がるのを阻止する円筒状の変形阻止部５４を変形阻止手段として有している。他方、図１０に示す実施形態においては、延長部材５０とは独立の、円筒状の変形阻止部材５５を変形阻止手段として有し、該変形阻止部材５５が外嵌合していることによって、第１部材の外嵌部２８及び／又は第２部材の外嵌部３８が、櫛歯形成部材２０の直径方向の外方に拡がることが阻止される。変形阻止部５４又は変形阻止部材５５は、合成樹脂製であることが好ましいが、金属製、木製、ガラス製等、他の材料からなるものであっても良い。
変形阻止手段によって、第１部材の外嵌部２８及び第２部材の外嵌部３８の一方又は両方の変形を防止することで、第１部材２３と第２部材３３とが一体化した状態が一層安定に維持され、頭髪処理剤の塗布作業中に、第１部材２３と第２部材３３との間に浮きや分離が生じて、櫛歯が傾いたり、櫛歯間の間隔が設計通りの寸法に維持されないといった不都合が生じることが一層確実に防止される。
【００４４】
以上、本発明の好ましい実施形態について説明したが、本発明は、上述した実施形態に制限されず、本発明の趣旨を逸脱しない範囲で種々変更が可能である。
【００４５】
例えば、櫛部形成部材の保持体は、延長部を形成する延長部材以外の部材であっても良い。例えば、延長部を有しない把持部４に、櫛部形成部材２０が直接結合して保持（支持）されていても良い。
【００４６】
また、櫛歯は、円形ライン上に配列しているのに代えて、楕円形状のライン上に配列していても良いし、六角形等の多角形状のライン上に配列していても良い。
櫛歯の本数は、３本以上が好ましく、より好ましくは１２本以上であり、更に好ましくは１５本以上であり、より具体的には、３〜２０本が好ましく、更に好ましくは１２〜１８本である。
【００４７】
また、上述した第１実施形態の頭髪処理剤塗布具１は、頭髪処理剤６を収容する容器部４０を有すると共に剤塗布部２に頭髪処理剤６を吐出させる剤吐出口２３ａを有するものであるが、本発明の頭髪処理剤塗布具は、容器部４０や剤吐出口２３ａを有しないものでも良い。また、本発明の頭髪処理剤塗布具は、延長部５や把持部４が、中実な合成樹脂、木材、金属等から形成されているものであっても良い。例えば、剤塗布部２に剤吐出口２３ａを有しない場合であっても、櫛歯２２で囲まれた空間２１ａ内に、頭髪処理剤を別の容器等から直接注入等することにより、上述した実施形態の頭髪処理剤塗布具と同様にして頭髪処理剤の塗布を行うことができる。また、容器部は、２重構造を有しないものであっても良いし、また、押し潰したり、巻き上げたりして内容物を押し出し可能なチューブ容器であっても良い。また、接続キャップは逆止弁を有しないものであっても良い。また、容器部として、エアゾール容器を用いても良い。
【００４８】
また、櫛歯形成部材２０，２０’を、延長部材５０等の保持体に固定する方法も任意の方法が採用できる。例えば、第１実施形態の櫛歯形成部材２０の外嵌部２８及び外嵌部３８の内面又は第２実施形態の櫛歯形成部材２０’の外嵌部３９’の内面と、延長部５の筒状接続部５２の外面のそれぞれに螺条を設け、両者を螺合により結合させても良いし、櫛歯形成部材２０の第１部材２３及び第２部材３３に、延長部５の筒状接続部５２の内面に、係合、螺合、接着剤等により結合する保持体接続部を設けてもよい。また、延長部５の端部に環状の溝部を設け、該環状の溝部に、第１部材２３及び第２部材３３の外側嵌合部より外側に設けた保持体接続部を嵌合させて結合させても良い。
【符号の説明】
【００４９】
１  頭髪処理剤塗布具
２  剤塗布部
２０，２０’  櫛歯形成部材
２１  櫛部
２１ａ  櫛部内の空間
２２  櫛歯
２２ａ  第１部材の櫛歯
２２ｂ  第２部材の櫛歯
２３  第１部材
２４  第１部材の支持部
２５  中央嵌合部
２６  外側嵌合部
２８  第１部材の外嵌部（接続部）
２８’  係合突起
３３  第２部材
３４  第２部材の支持部
３５  中央嵌合凹部
３６  外側嵌合凹部
３７  櫛歯支持台部
３８  第２部材の外嵌部（接続部）
３９’  外嵌部
４  把持部
４０  容器部
４１  容器本体
４２  外容器
４５  接続キャップ
５  延長部
５０  延長部材（櫛歯形成部材の保持体）
５２  筒状接続部
６  頭髪処理剤
５４  変形阻止部（変形阻止手段）
５５  変形阻止部材（変形阻止手段）
【図１】
2014124369.tif 000003
【図２】
2014124369.tif 000004
【図３】
2014124369.tif 000005
【図４】
2014124369.tif 000006
【図５】
2014124369.tif 000007
【図６】
2014124369.tif 000008
【図７】
2014124369.tif 000009
【図８】
2014124369.tif 000010
【図９】
2014124369.tif 000011
【図１０】
2014124369.tif 000012